(57)【要約】【課題】ポンプボトル内の液体を補充する際はボトルのポンプ部分１を取り外してその外した口から液体充填しなければならず煩雑であった。またポンプを外した際にポンプに付いた液体で手や床が汚れることがあった。【解決手段】ポンプボトルのポンプ部分１を外さずに液体を充填するためにボトルの外面に適当なサイズの穴を開け、その穴にプラスチック製の液体充填専用注入口７、もしくはゴム製の注入口を設けた。その注入口より外部から別の補充容器４のノズル５によって液体を充填する。この注入口に取付けられ前記ノズルの挿入を許し前期ノズルが引き抜かれたときには弾性により閉じる液漏れ防止用および異物混入防止用のゴム製の栓１８を設けた。【選択図】図１
2013139275.tif 000002
【特許請求の範囲】
【請求項１】
ポンプボトルに液体を充填する際、ボトルからポンプ部分を外さずに充填するために、ポンプボトルの外面に設けられ、外部からノズルによって液体を充填するための液体充填専用の注入口と、この注入口に取付けられ前記ノズルの挿入を許し前記ノズルが引き抜かれたときには弾性により閉じる液漏れ防止と異物混入防止のためのゴム製の栓を設けた構造を特徴とする充填口付きポンプボトル容器。
【請求項２】
ゴム製注入口の栓のまわりの壁にくぼみを設け、部分的にゴムの壁を薄くすることによりゴムの弾性強度を保ちながら外部からノズルが挿入された際の栓の開きを軽くスムーズにした請求項１記載の充填口付きポンプボトル容器。
【発明の詳細な説明】
【技術分野】
【０００１】  この発明は、液体補充時にポンプ部分を外さず液体注入できる充填口付きポンプボトル容器に関する。
【背景技術】
【０００２】  従来のポンプボトルへの液体補充時には頭部のポンプ１を回転させながら外し、その外した口から液体を注入しなければならず時間がかかり煩雑であった。また頭部の注入口を広げ注入を容易にしたものもある（例えば、特許文献１を参照。）。また補充容器側の注ぎ出口の形態を細くし補充しやすくしたものもある（例えば、特許文献２を参照。）。
【先行技術文献】
【特許文献】
【０００３】
【特許文献１】再表０２／０３２７７７
【特許文献２】特開２００７−５２３８０４
【発明の概要】
【発明が解決しようとする課題】
【０００４】  以上に述べた従来のポンプボトルでは液体を補充する際にネジキャップのネジ部分２により容器に固定されているポンプ１をそのつど回転させ外し、液体充填終了後はポンプを再度逆回転させて閉じなければならず時間がかかり、またポンプを外した際ポンプに付いた液体で手や床を汚しやすく煩雑であった。【０００５】  本発明は、このような従来の構成が有していた問題を解決しようとするものであり、頭部のポンプ部分１を外さずに液体充填できるようにすることを目的としたものである。
【課題を解決するための手段】
【０００６】  そして、本発明は上記目的を達成するためにボトル容器の外面にフリップトップキャップ３を伴ったプラスチック製の液体充填専用の注入口７を、またはゴム製でできた液体充填専用の注入口８をボトルに適当な大きさの丸穴を設け、その丸穴を塞ぐように固定した。【０００７】  ボトルへの固定方法はプラスチック製の注入口７は、ボトル内側に位置する注入口本体のねじ部分１５を穴からボトルの外へ出しキャップ部分１６のネジ穴１７と結合させ固定する。ゴム製の注入口８はゴムの特性から弾性がある為、穴に強く押し込むだけでくびれの部分９で止まりボトルに固定される。【０００８】  液体充填専用の注入口より別に用意した補充容器４のノズル５によって液体を充填する。この注入口に取付けられ前記ノズルの挿入を許し前期ノズルが引き抜かれたときには弾性により閉じるゴム製の栓を設けた。プラスチック製注入口およびゴム製注入口はいずれもゴム製の栓を採用している。プラスチック製注入口の栓１２は円の中央に十字の切れ目１８を入れた丸平型ゴムであり、ゴム製注入口はその注入口本体の穴の奥部に十字の栓２０が設けられている。またその栓２０のまわりのゴムの壁に４箇所のくぼみ２１を付けゴムの壁を部分的に薄くした。
【発明の効果】
【０００９】  上述したように本発明はポンプを外さすに充填ができるためポンプを外した際にポンプ本体に付いた液体で手や床が汚れず、液体の充填作業も，別に用意した口先の細長いノズルを持つ補充容器を使うことで液体充填専用の注入口に液体を充填ができるため大幅な時間の短縮となる。なおゴム製注入口は栓のまわりにくぼみを設けたことによりそのノズルの挿入時に栓がより軽く開く効果がある。【００１０】  現在では、ほとんどのホテルで使用されている客室のシャンプーボトル等や公共サービス施設のトイレの液体石鹸等に使用した場合、一般家庭とは比較にならないほどの多量のポンプボトルが使用されているため、充填作業時間の短縮になり作業労力の軽減となる。【００１１】  プラスチック製注入口は丸平型の栓１２、ゴム製注入口は本体穴奥部に十字の切り込みを入れた栓２０を設けてある。通常はゴムの弾性により栓が閉じた状態のためボトル転倒時の液漏れを防ぐ効果がある。また不特定の人が使用する環境にある宿泊施設などの場合にはいたずら目的での液体充填専用注入口６および１９からの異物混入を防ぐ効果もある。
【図面の簡単な説明】
【００１２】
【図１】  ボトルからポンプを外した状態の全体図およびプラスチック製注入口の注入方法の図
【図２】  ゴム製注入口のボトルへの装着図とノズルの注入方法の図
【図３】  プラスチック製注入口の全体側面図
【図４】  プラスチック製注入口の構成部品の側面図
【図５】  プラスチック製注入口の構成部品の正面図
【図６】  ゴム製注入口の側面図
【図７】  ゴム製注入口のノズル注入面の上からの図
【図８】  ゴム製注入口の栓側からの図
【発明を実施するための形態】
【００１３】  以下、本発明の実施の形態を説明する。
【００１４】  ポンプボトル頭部のポンプ１を外さずに液体を充填するには、ポンプボトルの外面に液体充填専用のプラスチック製注入口７もしくはゴム製注入口８を設け、その注入口から別に用意した補充容器４の細長いノズル５を挿入し液体充填を行う。ポンプボトルの外面に液体充填専用の注入口を設けて固定するには、ポンプボトルの外面に適当な大きさの丸穴を開け、その穴を塞ぐようにプラスチック製７またはゴム製８の液体充填専用の注入口をボトルに固定する。液体充填時には別に用意した補充容器のノズルを液体充填専用の注入口に挿入すると内部に構成されたゴム製の栓１８および２０が弾性の特性によりノズルの挿入を許し、液体充填終了後はそのノズルを引抜くと弾性により栓が閉じる。プラスチック製の注入口の場合は通常はフリップトップキャップ３で閉じられているためその蓋を開け、補充容器のノズル５を注入口入り口６に挿入し液体を充填し、その充填終了後ノズルを引き抜き蓋３を閉じる（図１）。ゴム製の注入口８の場合はそのまま補充容器のノズルを注入口に挿入するとゴム製の栓の十字２０が弾性の特性のため開きノズルの挿入を許し、充填終了後にはノズルを外すことによりゴム製の栓が弾性により閉じる（図２）。
【００１５】  プラスチック製注入口およびゴム製注入口はともにゴム製の栓を有している。通常時には栓が閉まっているため転倒時の液体漏れが無く、その液体充填専用の注入口からの異物混入のいたずらを防ぐことができる。
【００１６】  また市販のポンプボトルの外面にドリルで穴を開けるだけでプラスチック製の注入口７はネジ１５および１７で簡単にボトル外面に固定でき、またゴム製の注入口は弾性があるため押し込むだけで穴に伸縮しながらくびれ９で固定される構造であるため、いずれも新規にポンプボトルを買い換えることなく注入口の加工が簡単にできる。
【００１７】プラスチック製の液体注入口部品は次の部品で構成されている。キャップ付きネジ穴部１６、パッキンゴム１４、熱溶着用カシメ１０付きネジ部１３、栓１８付き丸平ゴム１２、丸平ゴム栓固定用プラスチック板１１からなり、ネジ部１３のカシメ１０に丸平ゴム１２と固定用丸板１１をセットしカシメ１０を熱溶着し三部品を固定する。その後その部品にパッキンゴム１４を装着しボトルの内側から外面の穴にネジ部１５を出しキャップ部のネジ部分１７で固定する。ゴム製の液体注入口８は単一のゴム製品である。ゴム製の液体注入口８は栓２０の周りに４箇所のくぼみ２１を設けゴムの厚みを薄くしたため、補充容器のノズルが栓を通過する際、注入口の弾性強度を保ちながら栓の開きが軽くスムーズに行えノズルの挿入を容易にする効果がある。
【図１】
2013139275.tif 000003
【図２】
2013139275.tif 000004
【図３】
2013139275.tif 000005
【図４】
2013139275.tif 000006
【図５】
2013139275.tif 000007
【図６】
2013139275.tif 000008
【図７】
2013139275.tif 000009
【図８】
2013139275.tif 000010